(57)【特許請求の範囲】
【請求項１】
互いに直交する幅方向及び長手方向を有し、
前胴回り部材と、後胴回り部材と、前記前胴回り部材から前記後胴回り部材にわたって延びている吸収体本体と、前記吸収体本体に配置されている吸収体と、前記前胴回り部材及び前記後胴回り部材において前記長手方向に所定間隔を空けて配置された複数の弾性部材とを有するパンツ型おむつであって、
前記前胴回り部材及び前記後胴回り部材の両側部が接合されてウエスト開口部及び脚開口部が形成されており、
前記前胴回り部材及び前記後胴回り部材の少なくとも一方において、前記吸収体に重なっており前記吸収体の前記長手方向に沿う両側縁を含む前記幅方向外側の両側に前記弾性部材が伸縮可能な伸縮域を有し、かつ、前記吸収体の前記両側縁よりも前記幅方向内側に前記弾性部材が伸縮不能な非伸縮域を有し、
前記両側縁を含む前記幅方向外側の一方側の前記伸縮域の前記幅方向内側の端部の位置と、前記両側縁を含む前記幅方向外側の他方側の前記伸縮域の前記幅方向内側の端部の位置とが、前記長手方向において互いにずれて設けられていることを特徴とするパンツ型おむつ。
【請求項２】
前記前胴回り部材及び前記後胴回り部材の少なくとも一方において、一対のシート部材の間に前記弾性部材及び接着剤が積層されており、
前記非伸縮域における前記一対のシート部材の間に配置した前記接着剤の秤量は、前記伸縮域の前記弾性部材に沿って配置した前記接着剤の秤量よりも低くなるように構成されていることを特徴とする請求項１に記載のパンツ型おむつ。
【請求項３】
前記両側縁を含む前記幅方向外側において、前記両側縁側における前記所定間隔は、５ｍｍ〜５０ｍｍの範囲にあることを特徴とする請求項１又は２に記載のパンツ型おむつ。
【請求項４】
前記長手方向において、前記一方側の前記伸縮域の前記幅方向内側の端部及び前記他方側の前記伸縮域の前記幅方向内側の端部が交互に配置されていることを特徴とする請求項１〜３のいずれか一項に記載のパンツ型おむつ。
【請求項５】
前記両側縁を含む前記幅方向外側の一方側及び他方側における前記所定間隔は、等間隔となるように構成されていることを特徴とする請求項１〜４のいずれか一項に記載のパンツ型おむつ。
【請求項６】
前記両側縁を含む前記幅方向外側の両側の少なくとも一方側において、前記伸縮域の前記幅方向の長さが前記長手方向で異なるように構成されていることを特徴とする請求項１〜５のいずれか一項に記載のパンツ型おむつ。
【請求項７】
前記吸収体は、肌当接面側に配置された第１層吸収体と、前記第１層吸収体よりも非肌当接面側に配置された第２層吸収体とを有し、
前記弾性部材は、前記吸収体が配置されている領域のうち、少なくとも前記第１層吸収体及び前記第２層吸収体のいずれか一方のみが配置されている領域における前記両側縁を含む前記幅方向外側に配置されるように構成されていることを特徴とする請求項１〜６のいずれか一項に記載のパンツ型おむつ。
【請求項８】
前記吸収体本体は、前記両側縁よりも前記幅方向外側に位置する両側部を有し、
前記両側部を含む前記吸収体本体の両側部には、前記長手方向に沿って延びる固定端と、カフ弾性部材が前記長手方向に配置されて肌当接面側に起立する自由端とを有する防漏カフを有し、
前記前胴回り部材又は前記後胴回り部材と前記自由端の配置領域とが重なる部分において、前記伸縮域は、前記自由端よりも前記幅方向外側に配置されるように構成されていることを特徴とする請求項１〜７のいずれか一項に記載のパンツ型おむつ。
【請求項９】
前記弾性部材のうち、前記脚開口部側に配置された複数の脚周り弾性部材は、前記弾性部材よりも前記長手方向の間隔が狭く、かつ、前記一方側における前記脚周り弾性部材の前記長手方向の位置と同じ位置に前記他方側における前記脚周り弾性部材が配置されていることを特徴とする請求項１〜８のいずれか一項に記載のパンツ型おむつ。
【請求項１０】
前記伸縮域の前記幅方向内側の端部は、前記両側縁に重なるように形成されていることを特徴とする請求項１〜９のいずれか一項に記載のパンツ型おむつ。
【発明の詳細な説明】
【技術分野】
【０００１】
本発明は、パンツ型おむつに関する。
【背景技術】
【０００２】
従来、前胴回り部材の幅方向の中央領域（吸収体が配置されている領域）において、幅方向に伸縮可能な弾性部材（フィットギャザー用弾性部材）を切断することによって、かかる弾性部材の幅方向における伸縮性を部分的に抑制して吸収体を極力平坦な状態に維持し、吸収体の有効吸収幅を広く確保するように構成されているパンツ型おむつが知られている（特許文献１参照）。
【先行技術文献】
【特許文献】
【０００３】
【特許文献１】特開２０１４-２２１１２２号公報（段落００３１）
【発明の概要】
【発明が解決しようとする課題】
【０００４】
しかしながら、上述の前胴回り部材の幅方向の中央領域において弾性部材を切断し、かかる弾性部材が伸縮不能な非伸縮域を形成したとしても、かかる非伸縮域の幅方向外側の両側で長手方向の等しい位置に等しい長さの伸縮域となるよう長手方向の等しい位置に弾性部材が配置されていると、弾性部材の収縮による吸収体の有効吸収幅の低減を抑えることができるものの、かかる非伸縮域に弾性部材が存在すると仮想した部分に吸収体の幅方向に皺が生じる傾向にあることで、吸収体にたくれが生じ、着用者と吸収体との間に隙間ができ易いという問題点があった。
【０００５】
さらに、着用者が、パンツ型おむつを片側ずつ引き上げようとする場合に、かかるパンツ型おむつを手に持った一方側にかかる力が他方側に設けられている弾性部材に伝わり、かかるパンツ型おむつの引き上げに際して着用者が感じる抵抗を増大させる傾向がある。このことは、身体の不自由な高齢者にとって不便であるという問題点があった。
【０００６】
そこで、本発明は、上述の課題に鑑みてなされたものであり、吸収体の有効吸収幅を広く確保するとともに、着用者と吸収体との間の隙間の形成を抑制し、併せて、着用時に感じる抵抗を低減することのできるパンツ型おむつを提供することを目的とする。
【課題を解決するための手段】
【０００７】
本発明の第１の特徴は、互いに直交する幅方向及び長手方向を有し、前胴回り部材と、後胴回り部材と、前記前胴回り部材から後胴回り部材にわたって延びる吸収体本体と、前記吸収体本体に配置されている吸収体と、前記前胴回り部材及び前記後胴回り部材において前記長手方向に所定間隔を空けて配置された複数の弾性部材とを有するパンツ型おむつであって、前記前胴回り部材及び前記後胴回り部材の両側部が接合されてウエスト開口部及び脚開口部が形成されており、前記前胴回り部材及び前記後胴回り部材の少なくとも一方において、前記吸収体に重なっており前記吸収体の前記長手方向に沿う両側縁を含む前記幅方向外側の両側に前記弾性部材が伸縮可能な伸縮域を有し、かつ、前記吸収体の前記両側縁よりも前記幅方向内側に前記弾性部材が伸縮不能な非伸縮域を有し、前記両側縁を含む前記幅方向外側の一方側の前記伸縮域の前記幅方向内側の端部の位置と、前記両側縁を含む前記幅方向外側の他方側の前記伸縮域の前記幅方向内側の端部の位置とが、前記長手方向において互いにずれて設けられていることを要旨とする。
【発明の効果】
【０００８】
以上説明したように、本発明によれば、吸収体の有効吸収幅を広く確保するとともに、着用者と吸収体との間の隙間の形成を抑制し、併せて、着用時に感じる抵抗を低減することのできるパンツ型おむつを提供することができる。
【図面の簡単な説明】
【０００９】
【図１】本発明の第１の実施形態に係るパンツ型おむつの一例の外観図である。
【図２】本発明の第１の実施形態に係るパンツ型おむつの一例を接合部分で破断して展開した平面図（肌当接面側）である。
【図３】図２におけるＸ-Ｘ断面図である。
【図４】本発明の変更例に係るパンツ型おむつの一例を接合部分で破断して展開した平面図（肌当接面側）である。
【発明を実施するための形態】
【００１０】
（第１の実施形態）
図１乃至図３を参照して、本発明の第１の実施形態に係るパンツ型おむつ１について説明する。
【００１１】
なお、以下の図面の記載において、同一又は類似の部分には、同一又は類似の符号を付している。ただし、図面は模式的なものであり、各寸法の比率等は現実のものとは異なることに留意すべきである。
【００１２】
したがって、具体的な寸法等は、以下の説明を参酌して判断すべきである。また、図面相互間においても互いの寸法の関係や比率が異なる部分が含まれ得る。
【００１３】
図１〜図３に示すように、本実施形態に係るパンツ型おむつ１は、互いに直交する幅方向Ｗ及び長手方向Ｌを有し、前胴回り部材（前身頃）４と、後胴回り部材（後身頃）５と、吸収体本体（内装体）３と、吸収体（吸収体コア）３０と、複数の弾性部材ＷＧ、ＦＧ、ＬＧとを有する。
【００１４】
また、本実施形態に係るパンツ型おむつ１では、前胴回り部材４及び後胴回り部材５の両側部５０Ｅが接合されてウエスト開口部Ｈ２及び脚開口部Ｈ１が形成されている。
【００１５】
吸収体本体３は、前胴回り部材４及び後胴回り部材５に延びている。例えば、吸収体本体３は、前胴回り部材４及び後胴回り部材５に重なって配置されていてもよいし、前胴回り部材４及び後胴回り部材５の少なくとも一方にのみ重なって配置されていてもよい。なお、吸収体３０は、吸収体本体３に配置されている。
【００１６】
また、弾性部材ＷＧ、ＦＧ、ＬＧは、前胴回り部材４及び後胴回り部材５において長手方向Ｌに所定間隔を空けて配置されている。ここで、弾性部材ＷＧは、ウエスト開口部Ｈ２側に配置されておりウェストギャザーを構成する弾性部材（胴回り弾性部材）であり、弾性部材ＦＧは、フィットギャザーを構成する弾性部材であり、弾性部材ＬＧは、脚開口部Ｈ１側に配置されておりレッグギャザーを構成する弾性部材（脚周り弾性部材）である。
【００１７】
図３に示すように、前胴回り部材４及び後胴回り部材５において、トップシート２０及びバックシート１０（一対のシート部材）の間に弾性部材ＷＧ、ＦＧ、ＬＧ及び接着剤が積層されるように構成されている。
【００１８】
また、吸収体本体３において、トップシート４０及びバックシート４１（一対のシート部材）の間に吸収体３０及び接着剤が積層されるように構成されている。
【００１９】
図１及び図２に示すように、前胴回り部材４及び後胴回り部材５の少なくとも一方において、伸縮域Ａ及び非伸縮域Ｂが設けられている。本実施形態に係るパンツ型おむつ１では、前胴回り部材４のみにおいて、伸縮域Ａ及び非伸縮域Ｂが設けられているケースについて説明するが、本発明は、かかるケースに限定されない。
【００２０】
ここで、伸縮域Ａは、吸収体３０に重なっており吸収体３０の長手方向Ｌに沿う両側縁３０Ｅを含む幅方向Ｗ外側の両側（両側縁３０Ｅの左右両側）に設けられており、弾性部材ＦＧ（或いは、弾性部材ＬＧ、以下同じ）が伸縮可能な領域である。伸縮域Ａにおいて、弾性部材ＦＧは、バックシート１０（及び、トップシート２０）に接合されている。本実施形態において、上述の両側縁３０Ｅは、吸収体３０の幅方向Ｗ外側の縁から幅方向Ｗ内側の約１０ｍｍの領域を含むものとする。
【００２１】
一方、非伸縮域Ｂは、吸収体３０の両側縁３０Ｅよりも幅方向Ｗ内側に設けられており、弾性部材ＦＧが伸縮不能な領域である。
【００２２】
ここで、弾性部材ＦＧが伸縮不能な非伸縮域Ｂとは、弾性部材ＦＧが伸張状態で固定配置されていないことを意味し、１０％程度までの伸縮率であれば伸縮されていないとみなす。伸縮率の求め方は、弾性部材ＦＧが存在する箇所を、パンツ型おむつ１を長手方向Ｌ及び幅方向Ｗに皺がない状態にまで引張り固定した状態で、弾性部材ＦＧと重なる位置の部材全体をパンツ型おむつ１の幅方向Ｗの一定長さＡｍｍを切り取り出し、その中に含まれる弾性部材ＦＧのみをトルエン等に浸した後、取り出し、乾燥後の長さＢｍｍを測定する。伸縮率は（Ａ/Ｂ×１００―１００）％となる。マイナスの場合の伸張率はゼロとみなす。すなわち、かかる非伸縮域Ｂでは、弾性部材ＦＧは、前胴回り部材４のトップシート２０及びバックシート１０に伸張状態で接合されていない。
【００２３】
なお、非伸縮域Ｂの幅方向Ｗ外側において、伸縮域Ａの幅方向の長さの１/２以下の弾性部材ＦＧは、バックシート１０（及び、トップシート２０）に接合されていてもよい。このように弾性部材ＦＧがバックシート１０（及び、トップシート２０）に接合されている領域は、伸縮域Ａとはみなさないものとする。
【００２４】
このように、非伸縮域Ｂの幅方向Ｗ外側において伸縮域Ａの幅方向Ｗの長さの１/２以下の領域で弾性部材ＦＧがバックシート１０（及び、トップシート２０）に接合されていたとしても、弾性部材ＦＧの長手方向Ｌにおけるずれによる皺の低減効果が得られやすい。
【００２５】
図２に示すように、両側縁３０Ｅを含む幅方向Ｗ外側の一方側（例えば、両側縁３０Ｅの左側）の伸縮域Ａの幅方向Ｗ内側の端部Ｅ１の位置と、両側縁３０Ｅを含む幅方向Ｗ外側の他方側（例えば、両側縁３０Ｅの右側）の伸縮域Ａの幅方向Ｗ内側の端部Ｅ２の位置とが、長手方向Ｌにおいて互いにずれて設けられている。すなわち、幅方向における同一直線上に伸縮域Ａの幅方向Ｗ内側の端部Ｅ１と幅方向Ｗ内側の端部Ｅ２がない。
【００２６】
ここで、両側縁３０Ｅを含む幅方向Ｗ外側の一方側（例えば、両側縁３０Ｅの左側）の伸縮域Ａの幅方向Ｗ内側の端部Ｅ１の位置と、両側縁３０Ｅを含む幅方向Ｗ外側の他方側（例えば、両側縁３０Ｅの右側）の伸縮域Ａの幅方向Ｗ内側の端部Ｅ２の位置とが、長手方向Ｌにおいて互いにずれて設けられているか否かについては、各伸縮域Ａの幅方向Ｗ内側の端部Ｅ１、Ｅ２に存在する弾性部材ＦＧのウエスト開口部Ｈ２からの距離を測定することによって確認することができる。すなわち、各伸縮域Ａの幅方向Ｗ内側の端部Ｅ１、Ｅ２に存在する弾性部材ＦＧのウエスト開口部Ｈ２からの距離が異なる場合はずれているといえる。
【００２７】
かかる構成によれば、非伸縮域Ｂが設けられていることで、吸収体３０が配置されている領域における伸縮性が抑制されるため、吸収体３０を前胴回り部材４において平坦な状態に維持し、吸収体３０の有効吸収幅を広く確保することができる。
【００２８】
また、かかる構成によれば、吸収体が配置されている領域の両側縁３０Ｅを含む幅方向Ｗ外側の一方側と他方側との間で、弾性部材ＦＧの幅方向Ｗ内側の端部Ｅ１、Ｅ２の位置が、長手方向Ｌにおいて互いにずれて設けられていることで、吸収体３０が配置されている領域に幅方向Ｗに沿って皺が生じるのを抑制し、着用者と吸収体との間に隙間ができるのを防止することができる。
【００２９】
さらに、かかる構成によれば、着用者がパンツ型おむつ１を片側ずつ引き上げようとする場合に、パンツ型おむつ１を手に持った一方側にかかる力が他方側に設けられている弾性部材に伝わり難い状態として、着用時に感じる抵抗を低減することができる。
【００３０】
また、本実施形態に係るパンツ型おむつ１では、非伸縮域Ｂにおけるトップシート２０及びバックシート１０（一対のシート部材）の間に配置した接着剤の秤量は、伸縮域Ａの弾性部材ＦＧに沿って配置した接着剤の秤量よりも低くなるように構成されていてもよい。
【００３１】
かかる構成によれば、弾性部材ＦＧが不連続な状態にある非伸縮域Ｂにおける接着剤の秤量（目付）が、弾性部材ＦＧが連続な状態にある伸縮域Ａにおける接着剤の秤量（目付）よりも低いことで、吸収体が配置されている領域の柔軟性を確保し、前胴回り部材４及び後胴回り部材５を全体として柔軟に構成することができる上、伸縮域Ａの弾性部材ＦＧがバックシート１０（或いは、トップシート２０）と強固に接合されているため、パンツ型おむつ１を引き上げようとする力をパンツ型おむつ１全体に伝えやすい。
【００３２】
さらに、本実施形態に係るパンツ型おむつ１では、長手方向Ｌにおいて、両側縁３０Ｅの一方側の伸縮域Ａの幅方向Ｗ内側の端部Ｅ１及び両側縁３０Ｅの他方側の伸縮域Ａの幅方向Ｗ内側の端部Ｅ２が交互に配置されていてもよい。すなわち、吸収体３０の両側縁３０Ｅを含む幅方向Ｗ外側の両側（左側及び右側）における弾性部材ＦＧにおいて、吸収体３０の幅方向Ｗの中心に最も距離が近い伸縮域Ａの幅方向Ｗ内側の端部Ｅ１/Ｅ２の位置を左側及び右側で比較した場合、それぞれの伸縮域Ａの幅方向Ｗ内側の端部Ｅ１/Ｅ２の長手方向Ｌにおいて互いにずれて設けられている。
【００３３】
また、両側縁３０Ｅを含む幅方向Ｗ外側において、両側縁３０Ｅ側で弾性部材ＦＧが長手方向Ｌに配置されている所定間隔は、５ｍｍ〜５０ｍｍの範囲にあってもよい。かかる所定間隔が５ｍｍよりも小さいと、弾性部材ＦＧの長手方向Ｌにおけるずれによる皺の低減効果が減少し、幅方向Ｗに皺が形成されやすくなる上、伸長応力が高くなるため、パンツ型おむつ１の引き上げに力を要してしまう。一方、かかる所定間隔が５０ｍｍより広いと、着用者の身体へのフィット性が低下してしまう。
【００３４】
また、吸収体３０の両側縁３０Ｅを含む幅方向Ｗ外側の一方側（例えば、左側）及び他方側（例えば、右側）における所定間隔は、ほぼ等間隔になるように構成されていてもよい。かかる構成によれば、両側縁３０Ｅの両側において均等に伸縮域Ａを設けることができ、外観を損ねることなく、フィット性を高め着用時のずれを防止することができる。
【００３５】
また、本実施形態に係るパンツ型おむつ１では、吸収体３０の両側縁３０Ｅを含む幅方向Ｗ外側の両側の少なくとも一方側（例えば、両側縁３０Ｅの左側）において、伸長域Ａの幅方向Ｗの長さが長手方向Ｌで異なるように構成されていてもよい。
【００３６】
かかる構成によれば、長手方向Ｌに所定間隔を空けて配置している複数の弾性部材ＦＧにより形成される伸縮域Ａの幅方向Ｗの長さが長手方向Ｌで異なることで、パンツ型おむつ１の伸縮性を幅方向Ｗで調整することができる。これにより、部位に応じてフィット性を確保しつつ、伸縮域Ａの幅方向Ｗの長さが短い部分は一様に比較的幅方向Ｗの長さが長い伸縮域Ａを設けるよりも弱い力で前胴回り部材４（或いは、後胴回り部材５）を引き伸ばしやすい。
【００３７】
また、かかる構成によれば、弾性部材ＦＧが存在すると仮想した部分にあたる非伸縮域Ｂの幅方向Ｗの長さが長手方向Ｌで異なるので、非伸縮域Ｂに幅方向Ｗに沿った皺がさらにできにくい。
【００３８】
ここで、本実施形態に係るパンツ型おむつ１において、吸収体３０は、肌当接面側に配置された第１層吸収体と、第１層吸収体よりも非肌当接面側に配置された第２層吸収体とを有していてもよい。かかる場合、弾性部材ＦＧは、吸収体３０が配置されている領域のうち、少なくとも第１層吸収体及び第２層吸収体のいずれか一方のみが配置されている領域における両側縁３０Ｅを含む幅方向Ｗ外側に配置されるように構成されていてもよい。
【００３９】
かかる構成によれば、吸収体３０が配置されている領域のうち、第１層吸収体及び第２層吸収体のいずれか一方のみが配置されている領域に弾性部材ＦＧが備わることで、１つの層のみの吸収体３０が配置されている領域があることによる吸収体３０着用者の身体へのフィット性を高めつつ、比較的に皺が生じ易い１つの層のみの吸収体３０が配置されている領域に皺が形成されるのを防止し、吸収体３０の有効吸収幅を効果的に確保することができる。
【００４０】
また、本実施形態に係るパンツ型おむつ１では、吸収性本体３は、吸収体３０の両側縁３０Ｅよりも幅方向Ｗ外側に位置する両側部Ｓ１を有していてもよい。ここで、図２に示すように、両側部Ｓ１を含む吸収体本体３の幅方向Ｗの両側部には、長手方向Ｌに沿って延びる固定端ＬＳＧ１と、カフ弾性部材が長手方向Ｌに配置されて肌当接面側に起立する自由端ＬＳＧ２とを有する防漏カフＬＳＧを有していてもよい。
【００４１】
防漏カフＬＳＧは、液不透過性のサイドシート及び防漏弾性部材によって形成されている。サイドシートの幅方向Ｗにおける端部は、折り返されており、サイドシート同士が重なり合っている。ここで、サイドシート同士が重なり合っている部分に、長手方向Ｌに沿って伸長した状態で防漏弾性材が複数設けられている。
【００４２】
図２に示すように、前胴回り部材４（或いは、後胴回り部材５）と自由端ＬＳＧ２の配置領域とが重なる部分において、伸縮域Ａは、自由端ＬＳＧ２よりも幅方向Ｗ外側に配置されるように構成されていてもよい。
【００４３】
かかる構成によれば、吸収体本体３の両側縁に設けられている防漏カフＬＳＧの起立支点部となる長手方向Ｌに沿って延びる固定端ＬＳＧ１を幅方向Ｗに引張り起立性を高めるとともに、伸縮域Ａが防漏カフＬＳＧの起立領域を横断していないので、防漏カフＬＳＧの起立を妨げず横漏れを防止することができる。
【００４４】
本実施形態に係るパンツ型おむつ１において、図２に示すように、前胴回り部材４において、複数の脚周り弾性部材ＬＧは、複数の弾性部材ＦＧよりも長手方向Ｌの間隔が狭く、かつ、両側縁３０Ｅを含む幅方向Ｗ外側の一方側（例えば、両側縁３０Ｅの左側）における脚周り弾性部材ＬＧの長手方向Ｌの位置と同じ位置に、両側縁３０Ｅを含む幅方向Ｗ外側の他方側（例えば、両側縁３０Ｅの右側）における脚周り弾性部材ＬＧが配置されていてもよい。
【００４５】
かかる構成によれば、着用者がウエスト開口部Ｈ２を手で引き上げるときに、もっとも手から離れ吸収体３０を引き上げる力が必要となる脚開口部Ｈ１においては、脚周り弾性部材ＬＧの間隔を小さくすることで引き上げる力を吸収体３０に伝えやすくし、伸縮域Ａの幅方向Ｗ内側の端部Ｅ１、Ｅ２同士が長手方向Ｌにおいて同じ位置にあることで、装着後に脚開口部Ｈ１においては長手方向Ｌに均等に弾性部材ＬＧによる伸長応力を設定できるので、片側だけお尻にくいこむような違和感がなく体にフィットさせられる。
【００４６】
本実施形態に係るパンツ型おむつ１において、伸縮域Ａの幅方向Ｗ内側の端部Ｅ１、Ｅ２が、吸収体３０の両側縁３０Ｅに重なるように形成されていてもよい。
【００４７】
かかる構成によれば、着用者がウエスト開口部Ｈ２を手で引き上げるときに、もっとも手から離れ吸収体３０を引き上げる力が必要となる脚開口部Ｈ１においては、弾性部材ＦＧの伸縮域Ａの幅方向Ｗ内側の端部Ｅ１、Ｅ２を吸収体３０の両側縁３０Ｅに形成させることで、非伸縮域Ｂの幅を狭くすることができるので引き上げる力を伝えやすくするとともに、吸収体３０の両側縁３０Ｅを弾性部材ＦＧにより引っ張ることになるため皺を確実に伸ばすことができる。
【００４８】
（変更例）
以下、図４を参照して、本発明の変更例について、上述の第１の実施形態に係るパンツ型おむつ１との相違点に着目して説明する。
【００４９】
図４に示すように、本変更例に係るパンツ型おむつにおいて、前胴回り部材４及び後胴回り部材５の少なくとも一方は、第１領域Ｒ１及び第２領域Ｒ２を有している。図４の例では、前胴回り部材４のみにおいて、第１領域Ｒ１及び第２領域Ｒ２が設けられているケースについて説明するが、本発明は、かかるケースに限定されない。
【００５０】
ここで、第１領域Ｒ１は、吸収体３０が配置されている領域の長手方向Ｌに沿う両側縁３０Ｅを含む幅方向Ｗ外側に設けられている領域であり、第２領域Ｒ２は、第１領域Ｒ１よりも幅方向Ｗ外側に設けられている領域である。
【００５１】
図４に示すように。本変更例に係るパンツ型おむつにおいて、第１領域Ｒ１及び第２領域Ｒ２に渡って幅方向Ｗに延びている伸縮域Ａ１及び第２領域Ｒ２内でのみ幅方向Ｗに延びている伸縮域Ａ２が設けられている。
【００５２】
本変更例に係るパンツ型おむつでは、両側縁３０Ｅよりも幅方向Ｗ外側の一方側（例えば、両側縁３０Ｅの左側）と他方側（例えば、両側縁３０Ｅの右側）との間で、伸縮域Ａ１に設けられている弾性部材ＦＧの吸収体３０に近い幅方向Ｗ内側の端部Ｅ１、Ｅ２同士は、長手方向Ｌにおいて互いにずれて設けられている。すなわち、幅方向Ｗにおける同一直線上に伸縮域Ａの幅方向Ｗ内側の端部Ｅ１と幅方向Ｗ内側の端部Ｅ２がない。
【００５３】
かかる構成によれば、吸収体３０が配置されている領域に幅方向Ｗに沿って皺が生じるのを抑制し、着用者と吸収体３０との間に隙間ができるのを防止することができる。一方、本変更例に係るパンツ型おむつでは、両側縁３０Ｅよりも幅方向Ｗ外側の一方側（例えば、両側縁３０Ｅの左側）と他方側（例えば、両側縁３０Ｅの右側）との間で、伸縮域Ａ２に設けられている弾性部材ＦＧの幅方向Ｗ内側の端部Ｅ１、Ｅ２は、幅方向Ｗにおいて互いにずれて設けられていてもよいし、幅方向Ｗにおいて互いにずれずに設けられていてもよいが第１領域Ｒ１及び第２領域Ｒ２に渡って幅方向Ｗに延びている伸縮域Ａ１及び第２領域Ｒ２内でのみ幅方向Ｗに延びている伸縮域Ａ２が設けられている構成が長手方向Ｌに交互に形成されることで、第１領域Ｒ１の伸長応力を低くする一方、第２領域Ｒ２の伸張応力を強くすることが可能となるので、伸縮性を幅方向Ｗで調整することができる。この結果、例えば、パンツ型おむつ１を着用するに際し、伸長応力の小さい第１領域Ｒ１からパンツ型おむつ１を広げることが可能となり、吸収体３０を含むより広い範囲に亘って皺が生じるのを抑制し、吸収体３０を大きく広げた状態で着用可能として、吸収体３０の装着性をより良好なものとすることができる。  
【００５４】
また、本変更例に係るパンツ型おむつ１では、第１領域において、所定間隔は、５ｍｍ〜５０ｍｍの範囲にあってもよい。第１領域において、かかる所定間隔が５ｍｍよりも小さいと、弾性部材ＦＧの長手方向Ｌにおけるずれによる皺の低減効果が減少し、幅方向Ｗに皺が形成されやすくなる上、伸長応力が高くなるため、パンツ型おむつ１の引き上げに力を要してしまう。一方、第１領域において、かかる所定間隔が５０ｍｍより広いと、着用者の身体へのフィット性が低下してしまう。
【００５５】
ここで、本変更例に係るパンツ型おむつ１において、吸収体３０は、肌当接面側に配置された第１層吸収体３０Ａと、第１層吸収体よりも非肌当接面側に配置された第２層吸収体３０Ｂとを有していてもよい。かかる場合、弾性部材ＦＧは、吸収体３０が配置されている領域のうち、少なくとも第１層吸収体３０Ａ及び第２層吸収体３０Ｂのいずれか一方のみが配置されている領域における両側縁３０Ｅを含む幅方向Ｗ外側に配置されるように構成されていてもよい。
【００５６】
かかる構成によれば、吸収体３０が配置されている領域のうち、第１層吸収体３０Ａ及び第２層吸収体３０Ｂのいずれか一方のみが配置されている領域に弾性部材ＦＧが備わることで、１つの層のみの吸収体３０が配置されている領域があることによる吸収体３０着用者の身体へのフィット性を高めつつ、比較的に皺が生じ易い１つの層のみの吸収体３０が配置されている領域に皺が形成されるのを防止し、吸収体３０の有効吸収幅を効果的に確保することができる。
【００５７】
以上、上述の実施形態を用いて本発明について詳細に説明したが、本明細書の記載は、例示説明を目的とするものであり、本発明に対して何ら制限的な意味を有するものではない。
【符号の説明】
【００５８】
１…パンツ型おむつ
１０、４１…バックシート
２０、４０…トップシート
３…吸収体本体
３０…吸収体
３０Ａ…第１層吸収体
３０Ｂ…第２層吸収体
３０Ｅ…両側縁
４…前胴回り部材
５…後胴回り部材
５０…接合部分
Ａ…伸縮域
Ｂ…非伸縮域
ＦＧ、ＷＧ、ＬＧ…弾性部材
Ｓ１…両側部
ＬＳＧ…防漏カフ
ＬＳＧ１…固定端
ＬＳＧ２…自由端
Ｈ１…脚開口部
Ｈ２…ウエスト開口部
【図１】
0006382172.tif 000002
【図２】
0006382172.tif 000003
【図３】
0006382172.tif 000004
【図４】
0006382172.tif 000005